【手続補正書】
【提出日】平成19年2月20日(2007.2.20)
【手続補正１】
【補正対象書類名】明細書
【補正対象項目名】発明の名称
【補正方法】変更
【補正の内容】
【発明の名称】画像処理装置及び画像処理方法
【手続補正２】
【補正対象書類名】明細書
【補正対象項目名】特許請求の範囲
【補正方法】変更
【補正の内容】
【特許請求の範囲】
【請求項１】  ビデオ画像とＧＵＩ画像とを、前記ＧＵＩ画像に対して設定されるキーカラーに基づいたクロマキ合成処理によって合成して表示させる画像処理装置であって、
前記ＧＵＩ画像の中に存在するオブジェクトの属性を識別する識別手段と、
前記識別手段の識別の結果に基づいて、表示領域内の前記オブジェクトを含まない領域にマスク領域を設定する設定手段と、
前記マスク領域に対して、前記クロマキ合成処理を施す合成手段と
を備えることを特徴とする画像処理装置。
【請求項２】  ビデオ画像とＧＵＩ画像とを、前記ＧＵＩ画像に対して設定されるキーカラーに基づいたクロマキ合成処理によって合成して表示させる画像処理装置であって、
前記ＧＵＩ画像の中に存在するオブジェクトの属性を識別する識別手段と、
前記識別手段の識別の結果に基づいて、表示領域内の前記オブジェクトを含む領域に矩形領域を設定する設定手段と、
前記矩形領域以外の領域に対して、前記クロマキ合成処理を施す合成手段と
を備えることを特徴とする画像処理装置。
【請求項３】  前記ビデオ画像は、複数の画像ソースから入力された画像データに基づいて、表示画面上にマルチ画面として表示され、
前記ＧＵＩ画像は、前記表示画面上の最上位の画面として表示されることを特徴とする請求項１又は２に記載の画像処理装置。
【請求項４】  前記識別手段は、当該識別手段が管理できる色で前記オブジェクトが構成されているか否かを識別することを特徴とする請求項１乃至３のいずれか１項に記載の画像処理装置。
【請求項５】  前記設定手段は、領域の最大指定数を超えないように、前記マスク領域を設定することを特徴とする請求項１に記載の画像処理装置。
【請求項６】  前記設定手段は、領域の最大指定数を超えないように、前記矩形領域を設定することを特徴とする請求項２に記載の画像処理装置。
【請求項７】  ビデオ画像とＧＵＩ画像とを、前記ＧＵＩ画像に対して設定されるキーカラーに基づいたクロマキ合成処理によって合成して表示させる画像処理方法であって、
前記ＧＵＩ画像の中に存在するオブジェクトの属性を識別する識別ステップと、
前記識別ステップでの識別の結果に基づいて、表示領域内の前記オブジェクトを含まない領域にマスク領域を設定する設定ステップと、
前記マスク領域に対して、前記クロマキ合成処理を施す合成ステップと
を有することを特徴とする画像処理方法。
【請求項８】  ビデオ画像とＧＵＩ画像とを、前記ＧＵＩ画像に対して設定されるキーカラーに基づいたクロマキ合成処理によって合成して表示させる画像処理方法であって、
前記ＧＵＩ画像の中に存在するオブジェクトの属性を識別する識別ステップと、
前記識別ステップでの識別の結果に基づいて、表示領域内の前記オブジェクトを含む領域に矩形領域を設定する設定ステップと、
前記矩形領域以外の領域に対して、前記クロマキ合成処理を施す合成ステップと
を有することを特徴とする画像処理方法。
【手続補正３】
【補正対象書類名】明細書
【補正対象項目名】０００１
【補正方法】変更
【補正の内容】
【０００１】
【発明の属する技術分野】
本発明は、例えば、マルチ画面とＧＵＩ画面を合成して統合表示する装置やシステムに用いられる、画像処理装置及び画像処理方法に関するものである。
【手続補正４】
【補正対象書類名】明細書
【補正対象項目名】０００９
【補正方法】変更
【補正の内容】
【０００９】
そこで、本発明は、上記の欠点を除去するために成されたもので、マルチ画面とＧＵＩ画面の合成を、メモリを有効に使用しながら精度良く行える、画像処理装置及び画像処理方法を提供することを目的とする。
【手続補正５】
【補正対象書類名】明細書
【補正対象項目名】００１０
【補正方法】変更
【補正の内容】
【００１０】
【課題を解決するための手段】
本発明の画像処理装置は、ビデオ画像とＧＵＩ画像とを、前記ＧＵＩ画像に対して設定されるキーカラーに基づいたクロマキ合成処理によって合成して表示させる画像処理装置であって、前記ＧＵＩ画像の中に存在するオブジェクトの属性を識別する識別手段と、前記識別手段の識別の結果に基づいて、表示領域内の前記オブジェクトを含まない領域にマスク領域を設定する設定手段と、前記マスク領域に対して、前記クロマキ合成処理を施す合成手段とを備えることを特徴とする。
【手続補正６】
【補正対象書類名】明細書
【補正対象項目名】００１１
【補正方法】変更
【補正の内容】
【００１１】
また、本発明の画像処理装置は、ビデオ画像とＧＵＩ画像とを、前記ＧＵＩ画像に対して設定されるキーカラーに基づいたクロマキ合成処理によって合成して表示させる画像処理装置であって、前記ＧＵＩ画像の中に存在するオブジェクトの属性を識別する識別手段と、前記識別手段の識別の結果に基づいて、表示領域内の前記オブジェクトを含む領域に矩形領域を設定する設定手段と、前記矩形領域以外の領域に対して、前記クロマキ合成処理を施す合成手段とを備えることを特徴とする。
【手続補正７】
【補正対象書類名】明細書
【補正対象項目名】００１２
【補正方法】変更
【補正の内容】
【００１２】
本発明の画像処理方法は、ビデオ画像とＧＵＩ画像とを、前記ＧＵＩ画像に対して設定されるキーカラーに基づいたクロマキ合成処理によって合成して表示させる画像処理方法であって、前記ＧＵＩ画像の中に存在するオブジェクトの属性を識別する識別ステップと、前記識別ステップでの識別の結果に基づいて、表示領域内の前記オブジェクトを含まない領域にマスク領域を設定する設定ステップと、前記マスク領域に対して、前記クロマキ合成処理を施す合成ステップとを有することを特徴とする。
【手続補正８】
【補正対象書類名】明細書
【補正対象項目名】００１３
【補正方法】変更
【補正の内容】
【００１３】
また、本発明の画像処理方法は、ビデオ画像とＧＵＩ画像とを、前記ＧＵＩ画像に対して設定されるキーカラーに基づいたクロマキ合成処理によって合成して表示させる画像処理方法であって、前記ＧＵＩ画像の中に存在するオブジェクトの属性を識別する識別ステップと、前記識別ステップでの識別の結果に基づいて、表示領域内の前記オブジェクトを含む領域に矩形領域を設定する設定ステップと、前記矩形領域以外の領域に対して、前記クロマキ合成処理を施す合成ステップとを有することを特徴とする。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】図面
【補正対象項目名】図１
【補正方法】変更
【補正の内容】
【図１】
2001242848.tif 000001